(57)【特許請求の範囲】
【請求項１】
ロール紙の両端部に当接するフランジと、その内側面に突設したロール紙の開口部に挿入される支持円筒とを有するホルダを具えたロール紙保持装置において、支持円筒の周壁に透孔を設け、この透孔に係止爪を出没可能に配置し、支持円筒内には係止爪に押圧力を付与するばねと、このばねの一端を支承するロック部材と、他端を支承するばね支持材とが配置され、ロック部材と、ばね支持材とはばねの伸縮方向に摺動可能となっており、ばね支持材の外周には、先端が係止爪に取付けられている弾性アームが突設されていて、ロック部材によってばねを介してばね支持材を押圧することによって、弾性アームを拡開して係止爪をロール紙の内面に押圧して固定することを特徴とするロール紙保持装置。
【請求項２】
フランジとロック部材との対向面のいずれか一方に凸部が、また他方にこの凸部が嵌合する案内凹部とが設けられ、案内凹部はロック部材を回動した際、凸部がばねの伸縮方向に摺動するように構成されていることを特徴とする請求項１に記載のロール紙保持装置。
【請求項３】
弾性アームの係止爪の取付部位の剛性を、該弾性アームの他の部位の剛性より弱くしていることを特徴とする請求項１又は２のいずれかに記載のロール紙保持装置。
【請求項４】
弾性アームの拡開時に係止爪の取付部位が、係止爪の先端がホルダをロール紙内に引き込む方向に角度変位することを特徴とする請求項３に記載のロール紙保持装置。
【発明の詳細な説明】
【０００１】
【発明の属する技術分野】
この発明は、複写機、ファクシミリ又はプリンタ等の画像形成装置に用いられるロール紙保持装置に関する。
【０００２】
【従来の技術】
図７に前記のロール紙保持装置が使用されている画像形成装置の１例が示されているので、これについてその概略を説明する。50−１，２，３は中空孔にコアを有するロール紙を示し、このロール紙50−１，２，３は、この発明におけると同様に画像形成装置に装着されたロール紙保持装置51ー１，２，３に保持されて、画像形成時にフィードローラ52によって引き出されて、カッタ53によって所定の長さに切断されて通過し、レジストローラ54で作動タイミングとの同期をとって、転写部55でトナー転写をされ、定着部56で熱定着が行われて排出されるようになっている。
【０００３】
そして前記のロール紙保持装置にあっては、ロール紙50をその全幅にわたって保持するスプールを使用したスプールタイプのものが使用されていたが、近時大型の画像形成装置が使用されるようになるに伴い、その長さが１ｍを超すようなものとなってロール紙のスプールへの装脱が困難であるというような問題がある。
【０００４】
このような問題を解消するものとして、スプールに代えてロール紙の両端にフランジを装着し、このフランジによってロール紙を保持するものが提案され、そのためのロール紙保持装置として、（１）実開昭64-43048号公報、及び（２）実公平7-48598公報に開示されているようなものがある。
【０００５】
それは図８，９，10，11に示されたようなものであって、（１）のものは、ロール紙60の中心孔61に挿入される複数のスリット63を有する円筒部62と、円筒部62の一端から拡開するフランジとを有する支持輪64と、円筒部62の開放端の内周縁に当接する傘状押圧面65を有するナット66と、このナット66を支持輪64に結合する螺子67とを具えている。そしてロール紙60を保持する際には、螺子67を回動して傘状押圧面65で円筒部62の開放端を拡開させて、ロール紙60の内面に押圧させるようになっている。
【０００６】
また（２）のものは、ロール紙70の中空孔71に挿入する本体部材72と、本体部材72の貫通孔73に挿入する補助部材74とで構成し、本体部材72にアーム部材75を突設し、またアーム部材75に貫通孔73にむけて突出させた突起76を設け、補助部材74の筒部材77の外周部には凹部78を設けている。そしてロール紙70を保持する際には、補助部材74を回転させることによって、アーム部材75の突起76を補助部材74の凹部78に係合させるとともに、本体部材72にアーム部材75を拡開させてロール紙70の内面に押圧させる（図11）ようになっている。
【０００７】
【発明が解決しようとする課題】
しかしながら、（１）のものは、ロール紙60を保持する際には、螺子67を回動しなければならなくて、そのために多くの手間がかかり、また円筒部62の開口部には複数のスリット68が設けられていることから、強度が小さくなるというような問題がある。また（２）のものは、アーム部材75による押圧力が一定であることから、例えば直径の大きなロール紙70の場合には保持力が不足し、反対に直径の小さなロール紙70の場合には、アーム部材75の突起76を補助部材74の凹部78に係合させるために大きな回動力を必要とし、またアーム部材75間に大きな間隙80が形成されていることから、（１）のものと同様に強度が小さくなるというような問題がある。
【０００８】
そこでこの発明は、前記のような従来のロール紙保持装置のもつ問題を解消し、ロール紙を保持するに際して多くの手間がかかることなく、またロール紙保持用部材が離間した複数の部材によって構成されることがなくて、強度が小さくなることがなく、またロール紙保持用部材による押圧力が、ロール紙の直径の大小に対応して均一なものとすることができ、またロール紙保持用部材のロール紙への装着操作が容易なロール紙保持装置を提供することを目的とするものである。
【０００９】
【課題を解決するための手段】
この発明は、前記のような目的を達成するために、請求項１に記載の発明は、ロール紙の両端部に当接するフランジと、その内側面に突設したロール紙の開口部に挿入される支持円筒とを有するホルダを具えたロール紙保持装置において、支持円筒の周壁に透孔を設け、この透孔に係止爪を出没可能に配置し、支持円筒内には係止爪に押圧力を付与するばねと、このばねの一端を支承するロック部材と、他端を支承するばね支持材とが配置され、ロック部材とばね支持材とばねの伸縮方向に摺動可能となっており、ばね支持材の外周には、先端が係止爪に取付けられている弾性アームが突設されていて、ロック部材によってばねを介してばね支持材を押圧することによって、弾性アームを拡開して係止爪をロール紙の内面に押圧して固定することを特徴とするものである。
【００１０】
請求項２に記載の発明は、フランジとロック部材との対向面のいずれか一方に凸部が、また他方にはこの凸部が嵌合する案内凹部が設けられ、案内凹部はロック部材を回動した際、凸部がばねの伸縮方向に摺動するように構成されていることを特徴とするものである。
【００１１】
請求項３に記載の発明は、弾性アームの係止爪の取付部位の剛性を、該弾性アームの他の部位の剛性より弱くしていることを特徴とするものである。
【００１２】
請求項４に記載の発明は、弾性アームの拡開時に係止爪の取付部位が、係止爪の先端がホルダをロール紙内に引き込む方向に角度変位することを特徴とするものである。
【００１３】
【発明の実施の形態】
以下この本発明の実施形態を図面を参照しながら詳細に説明する。１はロール紙を示し、このロール紙１の両端部に当接するフランジ２と、その内側面に突設されていてロール紙１の開口部に、回動可能に挿入される支持円筒３とを有するホルダ４を具え、支持円筒３の頂板５より内側の支持円筒３の周壁に複数（この実施形態では３個）の透孔６を設け、支持円筒３内に出没可能な係止爪７を有するばね支持材10と、一端でこのばね支持材10に押圧力を付与する交換可能となっているばね８と、このばね８の他端を支承するロック部材９とを設け、ばね支持材10とロック部材９とは、ばね８の伸縮方向に摺動可能に配置されている。
【００１４】
ばね支持材10の外周には、図４に示すように、係止爪７に対向する位置に弾性アーム11が突設されていて、その先端が係止爪７に設けた係合溝12に摺嵌しており、この弾性アーム11には摺嵌部の近傍に切欠溝13が形成されて、この部位の剛性を他の部位の剛性より弱くしている。係止爪７の後方上部には図４に示すように、突起18が設けられている。そして頂板５には外周にばね支持材10の中心孔が摺嵌する案内スリーブ19が設けられ、この案内スリーブ19の内周にはロック部材９の先端が摺嵌している。
【００１５】
図２，３，４に示すように、フランジ２とロック部材９との対向面に、この実施形態ではロック部材９に凸部14が、またフランジ２には凸部14が嵌合してこれを案内する凹部15が設けられ、この凹部15はＬ状部材16によって形成されて、螺旋状になっていてロック部材９を回動した際、凸部14がこの凹部15に案内されて、ロック部材９をばね８の伸縮方向に摺動するように構成されている。そして凹部15の両終端部には図２，３に示すように、凸部14のストッパ部材17が着脱可能に設けられている。なお凸部14及び凹部15は前記とは反対にフランジ２及びロック部材９に設けられてもよい。
【００１６】
前記のようなものは、ロール紙１の非装着時には、ホルダ４が図４の下半部のような状態となっていて、ロック部材９は図３に鎖線に示す位置にあって、ばね支持材10はばね８に押圧されることがなくて、係止爪７が透孔６内にあって外部に突出することがない。このような状態のホルダ４をロール紙１を装着するに際しては、ロール紙１の両端開口部に支持円筒３を挿入してフランジ２をロール紙１の両端に当接させ、ロック部材９を回動して図３に実線に示す位置に変位させる。
【００１７】
これによってロック部材９の凸部14は、螺旋状の凹部15に沿って回動しながら前進して、ロック部材９を図２の上半部に示す位置に移動する。この移動によってロック部材９は、ばね８を介して弾性アーム11を押圧してばね支持材10を前進させ、その弾性アーム11を拡開して係止爪７をロール紙１の内面に押圧して係止爪７を固定し、これによってホルダ４のロール紙１への装着を完了する。
【００１８】
弾性アーム11を前記のようにして拡開させる際、弾性アーム11が変形しながら係止爪７が外方に移動することとなるので、その摺嵌部の近傍の部位が他の部位の剛性より弱くなっていなくて、弾性アーム11と係止爪７との相対的位置関係が変更しない場合には、係止爪７は図６に示すように、角度θだけ傾斜して点Ｐにおいてロール紙１に点接触することとなることから、拘束力が小さくてずれが発生し易く、特に大径のロール紙１の場合にこの傾向が顕著になるという欠点がある。それをこの発明では、前記のように、摺嵌部の近傍の部位が他の部位の剛性より弱くなっていてるので、係止爪７は図５に示すように、その底面がほぼ水平を保ったまま移動し、ロール紙１の内面に面接触することとなるので、前記ような欠点が発生しにくくなって、ロール紙１に対する大きい拘束力がえられることとなる。
【００１９】
また係止爪７の後方上部に突起18が設けられていることから、装着の際の負荷によって係止爪７の突起18が図４の矢印に示す方向の回転モーメントを受け、係止爪７は切欠溝13を中心として回動しながらその先端が角度変位して、係止爪７に押圧力を付与することとなり、これによってホルダ４はロール紙１内に引き込まれるようになって、ホルダ４がロール紙１から浮き上ってがたつきが生じるのが防止される。
【００２０】
前記のように係止爪７はロール紙１の内面に押圧されるまで移動してこれを固定することになることから、ロール紙１の径公差に関係無く、しかも各係止爪７にほぼ均一な加圧力が加えられることになって、偏荷重によるがたつきが生ずることなくロール紙１を確実に固定することとなる。またばね８を交換することによって、圧力を簡単に変更することができるので、軽い又は小さいサイズのロール紙１の場合には操作性を考慮して、加圧力の小さいばね８を使用し、逆に重い、大きい又は直径の大きいサイズのロール紙１の場合には、これを確実にロックするために、加圧力の大きいばね８を使用することによって、簡単な操作で容易にそれに対応することができる。
【００２１】
このようなものを使用するに際しては、図１に示すように、図示を省略した画像形成装置に軸受21を介して、回動可能に取付けられている１対の支持軸22に着脱可能に載置され、画像形成装置に設けた規制部材23によって軸線方向に変位することがないように位置規制されて設置される。
【００２２】
【発明の効果】
この発明は前記のようであって、ロール紙保持装置において、請求項１に記載の発明は、支持円筒の周壁に透孔を設け、この透孔に係止爪を出没可能に配置し、支持円筒内には係止爪に押圧力を付与するばねと、このばねの一端を支承するロック部材と、他端を支承するばね支持材とが配置され、ロック部材とばね支持材とは、ばねの伸縮方向に摺動可能に配置されており、ばね支持材の外周には、先端が係止爪に取付けられている弾性アームが突設されていて、ロック部材によってばねを介してばね支持材を押圧することによって、弾性アームを拡開して係止爪をロール紙の内面に押圧して固定するので、ロール紙保持用部材が支持円筒によって構成されていて、遊離した複数の部材によって構成されることがなくて大きな強度が保持され、ばねを交換するという簡単な操作によって、係止爪によるロール紙への押圧力を、ロール紙の直径の大小に対応して均一なものとすることができ、ロール紙保持用部材のロール紙への装着操作が容易であるという効果がある。
【００２３】
請求項２に記載の発明は、フランジとロック部材との対向面のいずれか一方に凸部が、また他方にこの凸部が嵌合する案内凹部が設けられ、案内凹部はロック部材を回動した際、凸部がばねの伸縮方向に摺動するように構成されているので、小さな力で容易に係止爪の押圧力を調節することができるという効果がある。
【００２４】
請求項３に記載の発明は、弾性アームの係止爪の取付部位の剛性を、該弾性アームの他の部位の剛性より弱くしているので、係止爪がロール紙の内面に面接触するような傾向が付与されて、ロール紙に対する係止爪の大きい拘束力がえられるという効果がある。
【００２５】
請求項４に記載の発明は、弾性アームの拡開時に係止爪の取付部位が、係止爪の先端がホルダをロール紙内に引き込む方向に角度変位するので、係止爪に押圧力を付与することとなり、これによってホルダはロール紙内に引き込まれるようになって、ホルダがロール紙から浮き上ってがたつきが生じるのが防止されるという効果がある。
【図面の簡単な説明】
【図１】この発明の実施形態の斜面図である。
【図２】同上の分解斜面図である。
【図３】同上のホルダの正面図である。
【図４】同上のホルダの上半部はロール紙への装着時の状態を示し、下半部は同非装着時の状態を示す断面図である。
【図５】同上のホルダの弾性アームの拡開時における係止状態を示す説明図である。
【図６】同この発明と相違する弾性アームの拡開時における係止状態を示す説明図である。
【図７】ロール紙保持装置が使用されている画像形成装置の１例の概略図である。
【図８】この発明と同種の従来のロール紙保持装置の１例の断面図である。
【図９】同他例の断面図である。
【図１０】同上の非装着時における要部の断面図である。
【図１１】同装着時における要部の断面図である。
【符号の説明】
１  ロール紙                    ２  フランジ
３  支持円筒                    ４  ホルダ
５  頂板                        ６  透孔
７  係止爪                      ８  ばね
９  ロック部材                  10  ばね支持材
11  弾性アーム                  12  係合溝
13  切欠溝                      14  凸部
15  凹部                        16  Ｌ状部材
17  ストッパ部材                18  突起
19  案内スリーブ
【図１】
0003669849.tif 000002
【図２】
0003669849.tif 000003
【図３】
0003669849.tif 000004
【図４】
0003669849.tif 000005
【図５】
0003669849.tif 000006
【図６】
0003669849.tif 000007
【図７】
0003669849.tif 000008
【図８】
0003669849.tif 000009
【図９】
0003669849.tif 000010
【図１０】
0003669849.tif 000011
【図１１】
0003669849.tif 000012